(57)【要約】      （修正有）【課題】ペンダントやループタイなどのアクセサリーとして身に付けて利用されるものでありながら、自然の空気流を巧みに活用することによって、人の臭覚に短時間だけ繰り返し芳香が作用するような環境を自然に創り出すことのできる装身具を提供する。【解決手段】吸液性素材１１を有する担持体１０と、担持体を着脱可能な担持体ホルダー２０と、からなる。担持体の嵌合孔部１３を担持体ホルダーの突軸部２５に挿入することによって、担持体を担持体ホルダーに保持させる。担持体ホルダーは、使用者の首部から胸元に亘って吊り下げられる紐状体との連結部２３を有する。【選択図】図１
0003218252.tif 000002
【実用新案登録請求の範囲】
【請求項１】
芳香成分を含浸させた平板状の吸液性素材を有する担持体と、この担持体を着脱可能な担持体ホルダーと、でなる装身具であって
上記担持体が厚さ方向に貫通する嵌合孔部を有し、上記担持体ホルダーが、担持体の上記嵌合孔部を挿抜可能な突軸部を有していると共に、その突軸部に挿入された上記嵌合孔部を介して上記担持体ホルダーに保持された上記担持体の脱落を防ぐ脱落防止手段を有することを特徴とする装身具。
【請求項２】
上記脱落防止手段が、担持体の上記嵌合孔部を上記突軸部にがたつきなく嵌合させる圧入手段でなる請求項１に記載した装身具。
【請求項３】
上記担持体ホルダーが、使用者身体の首部から胸元に亘って吊り下げられる紐状体との連結部を有していると共に、その担持体ホルダーに保持された上記担持体を収容する凹入部を有し、その凹入部は、上記紐状体を介して吊り下げられた上記担持体ホルダーの前面で開放している請求項１又は請求項２に記載した装身具。
【請求項４】
上記突軸部が、その根元部に、上記担持体ホルダーに保持された上記担持体を着座させてその担持体と上記凹入部の底面との間に隙間を形成させる台座を有してなる請求項１ないし請求項３のいずれか１項に記載した装身具。
【請求項５】
上記担持体ホルダーが、上記突軸部を備えてその突軸部に挿入された上記嵌合孔部を介して上記担持体ホルダーを保持するベース体と、このベース体に保持された上記担持体の一部をその担持体ホルダーとの間に挟み込む押さえ部材とでなり、この押さえ部材によって上記脱落防止手段が構成されていると共に、上記ベース体に、使用者衣服の襟元から胸元に亘って吊り下げられる紐状体との連結部が設けられている請求項１に記載した装身具。
【請求項６】
上記担持体が、上記吸液性素材とこの吸液性素材に重なり合ってその裏面全体を覆う被覆シートを有し、この被覆シートの片面にアルミニウム被膜が形成されてなる請求項１ないし請求項５のいずれか１項に記載した装身具。
【考案の詳細な説明】
【技術分野】
【０００１】
本考案は、装身具、特に、気流の作用で芳香成分を周囲に拡散させる作用を発揮する芳香成分の担持体を有する装身具に関する。
【背景技術】
【０００２】
従来より、芳香成分を含浸させた担持体は知られている（たとえば、特許文献１参照）。特許文献１によって提案されている担持体１００を図９に斜視図で示している。この担持体１００は芳香成分が含浸された平板状の吸液性素材でなり、気流が接触することにより空気中に芳香成分を拡散させる作用を発揮する。図例の担持体１００は吊下げ孔１０１を有していて、この吊下げ孔１０１を利用して室内や車内に吊り下げて使用される。
【０００３】
また、使用者が携帯して香りを楽しむことのできる携帯用芳香放出容器も知られている（たとえば、特許文献２参照）。特許文献２によって提案されているものは、ペンダントやストラップなどとしての携帯が可能であり、線香などのスティック状のお香を収納する棒状の容器に、小窓とその小窓を開閉するカバー部材とを設けている。そして、この容器をたとえばペンダントとして首から提げ、必要なときに気分転換などの目的で小窓を開けて仄かな香りを楽しむ、という使い方が可能である、とされている。
【０００４】
ところで、最近の研究では、予防医学や精神医学などの分野で、認知症の予防のために、人の臭覚を利用して匂いや香りを活用することが有効であるとされている。
【先行技術文献】
【特許文献】
【０００５】
【特許文献１】特開平７−５１３５２号公報
【特許文献２】実用新案登録第３１６５９６０号公報
【考案の概要】
【考案が解決しようとする課題】
【０００６】
しかしながら、上記のように人の臭覚を利用して匂いや香りなどの芳香を活用することが認知症の予防のために有効であるとしても、匂いや香りが常時放たれていると、人の臭覚が極めて短時間のうちにその匂いや香りに慣れてしまい、匂いや香りによる認知症予防の効能を十分に享受することができなくなる。このことから、匂いや香りを認知症予防のために有効に活用するには、人の臭覚に短時間だけ繰り返し匂いや香りが作用するような環境を創り出すことが有益であると考えられる。
【０００７】
このような観点から上記の特許文献１に見られる芳香成分担持体を考察してみると、このものは室内や車内に吊り下げて使用されるので、使用者が常時身に付けて芳香による認知症予防の効能を享受するという目的には不向きである。また、上記の特許文献２に見られる携帯用芳香放出容器は、必要なときに気分転換などの目的で小窓を開けて仄かな香りを楽しむ、というものであるので、仮に使用者が身に付けていたとしても、人の臭覚に短時間だけ繰り返し香りが作用するような環境を自然に創り出すことに困難が伴うと云わざるを得ない。
【０００８】
本考案は、以上の状況に鑑みてなされたものであり、ペンダントやループタイなどのアクセサリーとして身に付けて利用されるものでありながら、自然の空気流を巧みに活用することによって、人の臭覚に短時間だけ繰り返し芳香が作用するような環境を自然に創り出すことのできる装身具を提供することを目的としている。
【課題を解決するための手段】
【０００９】
本考案に係る装身具は、芳香成分を含浸させた平板状の吸液性素材を有する担持体と、この担持体を着脱可能な担持体ホルダーと、でなる装身具であって、上記担持体が厚さ方向に貫通する嵌合孔部を有し、上記担持体ホルダーが、担持体の上記嵌合孔部を挿抜可能な突軸部を有していると共に、その突軸部に挿入された上記嵌合孔部を介して上記担持体ホルダーに保持された上記担持体の脱落を防ぐ脱落防止手段を有する、というものである。
【００１０】
このように構成された装身具によれば、担持体の嵌合孔部を台座の突軸部に挿入するだけで担持体が担持体ホルダーに位置決めされ、脱落防止手段の作用によって担持体ホルダーからの担持体の脱落が防止される。したがって、使用者が担持体を保持させた担持体ホルダーを装身具として身に付けておくと、自然に生じる気流（空気流）の作用で周囲に拡散された担持体の芳香成分が使用者の臭覚に作用する。特に、使用者の周囲で自然に生じる気流の方向や流動状態は一定ではなく絶えず変化しているために、人の臭覚に短時間だけ繰り返し芳香が作用するような環境が自然に創り出されることになり、その結果、臭覚が芳香に慣れにくくなって認知症の予防に有効に活用される。
【００１１】
本考案では、上記脱落防止手段が、担持体の上記嵌合孔部を上記突軸部にがたつきなく嵌合させる圧入手段でなる、という構成を採用することが可能である。このような圧入手段は、担持体の主要部を構成している平板状の吸液性素材が一定の弾力性を発揮するので、その担持体の嵌合孔部の内径サイズを担持体ホルダーの突軸部の直径サイズと同等かそれよりも少し小さく定めておくことによって容易に実現することが可能である。
【００１２】
本考案では、上記担持体ホルダーが、使用者身体の首部から胸元に亘って吊り下げられる紐状体との連結部を有していると共に、その担持体ホルダーに保持された上記担持体を収容する凹入部を有し、その凹入部は、上記紐状体を介して吊り下げられた上記担持体ホルダーの前面で開放している、という構成を採用することが可能である。この構成を採用することによって、使用者は当該装身具をペンダントトップとして使用することが可能である。また、担持体ホルダーの凹入部に担持体が収容されていることによって、担持体に含浸されている芳香成分を含む薬剤が衣類に付着しにくくなり、また、その凹入部の前面が開放していることによって、気流が担持体に接触しやすくなって芳香成分が効率よく拡散されるようになる。
【００１３】
本考案では、上記突軸部が、その根元部に、上記担持体ホルダーに保持された上記担持体を着座させてその担持体と上記凹入部の底面との間に隙間を形成させる台座を有してなる、という構成を採用することが望ましい。この構成を採用しておくと、担持体ホルダーの凹入部の底面に担持体が接触しないので、担持体が使い捨てタイプとして提供されている場合に、交換後の担持体が放つ芳香に前回使用された担持体の異種の芳香が混ざり合って使用者が芳香に関して違和感を感じる、という不都合を生じにくくなる。
【００１４】
本考案では、上記担持体ホルダーが、上記突軸部を備えてその突軸部に挿入された上記嵌合孔部を介して上記担持体ホルダーを保持するベース体と、このベース体に保持された上記担持体の一部をその担持体ホルダーとの間に挟み込む押さえ部材とでなり、この押さえ部材によって上記脱落防止手段が構成されていると共に、上記ベース体に、使用者衣服の襟元から胸元に亘って吊り下げられる紐状体との連結部が設けられている、という構成を採用することが可能である。この構成を有する装身具はループタイとして使用することが可能である。
【００１５】
本考案では、上記担持体が、上記吸液性素材とこの吸液性素材に重なり合ってその裏面全体を覆う被覆シートを有し、この被覆シートの片面にアルミニウム被膜が形成されてなる、という構成を採用することが可能である。これによれば、吸液性素材の裏面全体を覆っている被覆シートの遮断作用によって、担持体ホルダーの底面又はベース体に芳香成分を含む薬剤が付着するという事態が起こらなくなる。したがって、担持体が使い捨てタイプとして提供されている場合に、交換後の担持体が放つ芳香に異種の芳香が混ざり合って使用者が芳香に関して違和感を感じる、という不都合を生じることがなくなる
【考案の効果】
【００１６】
以上のように、本考案に係る装身具によれば、ペンダントやループタイとして利用することにより、自然の空気流が巧みに活用されて人の臭覚に短時間だけ繰り返し芳香が作用するような環境が容易に創り出されるので、芳香を認知症の予防のために有効に活用することが可能になる。また、本考案の装身具はブローチに利用することも可能である。
【図面の簡単な説明】
【００１７】
【図１】本考案の実施形態に係る装身具の斜視図である。
【図２】本考案の実施形態に係る装身具の要部の断面図である。
【図３】ペンダントして使用されている装身具の正面図である。
【図４】他の実施形態に係る装身具の正面図である。
【図５】図４の装身具の縦断側面図である。
【図６】図４の装身具Ａの使用状態説明図である。
【図７】図４の装身具の担持体交換時の作用説明図である。
【図８】図４の装身具の担持体交換時の他の作用説明図である。
【図９】特許文献１によって提案されている担持体の斜視図である。
【考案を実施するための形態】
【００１８】
図１は本考案の実施形態に係る装身具Ａの分解斜視図である。また、図２は本考案の実施形態に係る装身具Ａの要部の断面図、図３はペンダントに使用されているペンダントトップとしての装身具Ａの正面図である。
【００１９】
図１又は図２に示した芳香成分の担持体１０は、芳香成分が含浸された円形平板状の吸液性素材１１を主要部として有していることに加えて、吸液性素材１１に重なり合ってその裏面全体を覆う被覆シート１２を有している。この担持体１０には、その中央部で厚さ方向に貫通する嵌合孔部１３が設けられている。この担持体１０は通常は使い捨てタイプとして提供される。吸液性素材１１は、和紙などの吸液性に優れた紙の積層体に芳香成分を含浸させることによって製作されていて、一定の弾力性を備えている。
【００２０】
上記担持体１０は担持体ホルダー２０に着脱可能である。担持体ホルダー２０は、円形環状の縁枠部２１によって囲まれた凹入部２２を有している。さらに、担持体ホルダー２０には、縁枠部２１の周方向１箇所に突出状に連接された連結部２３が設けられている。この連結部２３の孔部２４には図３に示した紐状体３０が挿通される。そして、この紐状体３０を使用者の首部から胸元に亘って吊り下げることにより、この装身具Ａがペンダントのペンダントトップとして利用される。このように装身具Ａをペンダントトップとして利用したときには、担持体ホルダー２０の凹入部２２が担持体ホルダー２０の前面で開放した状態になる。
【００２１】
図１又は図２に示した担持体ホルダー２０において、凹入部２２の底面の中央部に背低円柱状の突軸部２５が設けられていて、その突軸部２５は、その根元部に、径外方向に張り出した円形の台座２６を有している。この担持体ホルダー２０は、担持体１０の吸液性素材１１に含浸されている芳香成分を含む薬剤が付着しても容易に腐食や劣化を来しにくい材料、たとえばアルミニウム合金などの金属や高耐食性樹脂などで作られている。
【００２２】
担持体１０は、その嵌合孔部１３を担持体ホルダー２０突軸部２５に嵌合状に挿入することによって担持体ホルダー２０に保持され、かつ、台座２６の座面２７に載置されて、担持体ホルダー２０の凹入部２２に収容される。そして、当該装身具Ａに具備されている脱落防止手段の作用によって担持体ホルダー２０に保持された担持体１０の脱落が防止されるようになっている。
【００２３】
この実施形態において、脱落防止手段は、担持体１０の嵌合孔部１３を突軸部２５にがたつきなく嵌合させる圧入手段によって構成されている。具体的に説明すると、圧入手段は、担持体１０の吸液性素材１１が一定の弾力性を発揮することを利用していて、担持体１０の嵌合孔部１３の内径サイズを担持体ホルダー２０の突軸部２５の直径サイズと同等かそれよりも少し小さく定めることによって具体化している。脱落防止手段としての圧入手段を上記のように構成しておくと、担持体１０の取り換えるときに、担持体１０の嵌合孔部１３を突軸部２５に挿抜するだけで済むので、それ以外の特別な操作を行うことが不要になるという利便性がある。
【００２４】
図３のように担持体ホルダー２０の連結部２３に連結した紐状体３０を利用し、使用者が担持体ホルダー２０を首部から胸元に亘って吊り下げてペンダントとして使用すると、使用者の周囲の気流が、担持体ホルダー２０に保持されている担持体１０の吸液性素材１１の芳香成分を拡散する作用を発揮する。そのため、自然に生じる気流（空気流）の作用で周囲に拡散された担持体１０の芳香成分が使用者の臭覚に作用する。ここで、使用者の周囲で自然に生じる気流の方向や流動状態は一定ではなく絶えず変化しているために、人の臭覚に短時間だけ繰り返し芳香が作用するような環境が自然に創り出されることになる。その結果、臭覚が芳香に慣れにくくなって認知症の予防に有効に活用される。特に、この実施形態では、担持体ホルダー２０の凹入部２２の前面が開放し、担持体１０の吸液性素材１１の前面全体が凹入部２２から外部に向けて露出しているので、気流が担持体１０に接触しやすくなって芳香成分が効率よく拡散されるようになる、という利点がある。また、担持体ホルダー２０の凹入部２２に担持体１０が収容されていることによって、担持体１０の吸液性素材１１に含浸されている芳香成分を含む薬剤が衣類に付着しにくくなるという利点もある。
【００２５】
さらに、この実施形態では、担持体ホルダー２０に保持された担持体１０が台座２６の座面２７によって支えられて、担持体１０と凹入部２２の底面との間に図２に示した隙間Ｓが形成されるので、担持体１０の芳香が凹入部の底面に付着して残留するという事態が生じにくい。そのため、担持体１０が使い捨てタイプとして提供されている場合に、交換後の担持体１０が放つ芳香に、前回使用した担持体の異種の芳香が混ざり合って使用者が芳香に関して違和感を感じる、という不都合を生じにくくなる。
【００２６】
ところで、この実施形態では、担持体１０が、吸液性素材１１とこの吸液性素材１１に重なり合ってその裏面全体を覆う被覆シート１２を有していて、被覆シート１２の遮断作用によって、担持体ホルダー２０の凹入部２２の底面に芳香成分が付着することを抑制している。このような凹入部２２の底面に芳香成分が付着することを抑制する作用は、被覆シート１２の片面にアルミニウム被膜が形成されてなる、という構成を採用しておくことによって一層顕著に発揮される。
【００２７】
なお、この実施形態において、担持体１０の被覆シート１２を省略し、担持体１０を吸液性素材１１のみによって形成しておくことも勿論可能である。
【００２８】
図４は他の実施形態に係る装身具Ａの正面図、図５は同装身具Ａの縦断側面図、図６は同装身具Ａの使用状態説明図、図７及び図８は図４の装身具Ａの担持体交換時の作用説明図である。
【００２９】
この実施形態に示した芳香成分の担持体４０には、図１〜図３に示した実施形態で説明した円形平板状の吸液性素材１１と同様のものが採用されている。したがって、図５又は図７のように、担持体４０には、その中央部で厚さ方向に貫通する嵌合孔部４３が設けられている。担持体４０は通常は使い捨てタイプとして提供される。担持体４０に使用されている吸液性素材１１は、和紙などの吸液性に優れた紙の積層体に芳香成分を含浸させることによって製作されている。
【００３０】
図５に示したように、担持体ホルダー５０は、縦長のベース体５１と、同じく縦長の押さえ部材５２とでなる。ベース体５１は、その下端部に背低円柱状の突軸部５３を有している。そして、ベース体５１と押さえ部材５２とは、ベース体５１側の上端部に設けられた背低円柱状の軸部５４に、押さえ部材５２側の上端部に設けられた背低リング状の筒部５５を、容易に脱落しないように、かつ、回転可能に嵌合することによって連結されている。担持体ホルダー２０のベース体５１の裏面には、ループタイ用の留め具６０が固着されている。この留め具６０には紐状体７０が挿通される。したがって、留め具６０は、担持体ホルダー５０のベース体５１と紐状体７０との連結部の一例である。紐状体７０を使用者の衣類の襟元から胸元に亘って吊り下げることによって、担持体４０を保持した担持体ホルダー５０でなる装身具Ａが、紐状体７０と協働してループタイとして利用される。
【００３１】
この実施形態において、担持体４０は担持体ホルダー５０に着脱可能である。担持体４０は、その嵌合孔部４３を担持体ホルダー５０のベース体５１に設けられている突軸部５３に嵌合状に挿入することによって担持体ホルダー２０に保持される。また、押さえ部材５２とベース体５１との間に、その一部、具体的には、担持体４０の表面の円周方向の一部が挟み込まれることによって、担持体ホルダー５０に保持された担持体４０の脱落が防止される。したがって、この実施形態では、担持体ホルダー５０に保持された担持体４０の脱落を防ぐ脱落防止手段が押さえ部材５２によって構成されている。
【００３２】
上記したように、紐状体７０を使用者の衣類の襟元から胸元に亘って吊り下げることによって、担持体４０を保持した担持体ホルダー５０でなる装身具Ａが、紐状体７０と協働してループタイとして利用される。
【００３３】
担持体ホルダー５０に設けられている留め具６０に紐状体７０を挿通させ、使用者がその紐状体７０を利用して装身具Ａをループタイとして使用すると、使用者の周囲の気流が、担持体ホルダー５０に保持されている担持体４０の芳香成分を拡散する作用を発揮する。そのため、自然に生じる気流（空気流）の作用で周囲に拡散された担持体４０の芳香成分が使用者の臭覚に作用する。そして、使用者の周囲で自然に生じる気流の方向や流動状態は一定ではなく絶えず変化しているために、人の臭覚に短時間だけ繰り返し芳香が作用するような環境が自然に創り出されることになる。その結果、臭覚が芳香に慣れにくくなって認知症の予防に有効に活用される。
【００３４】
この実施形態の装身具Ａにおいて、担持体４０を交換するときには、たとえば図７に仮想線で示したように、押さえ部材５２を軸部５４を中心にして回動させることによってその押さえ部材５２を突軸部５３との対向位置から逃がし、その状態で担持体４０の嵌合孔部４３を突軸部５３から抜き出して担持体４０をベース体５１から取り外し、その後、別の担持体４０の嵌合孔部４３を突軸部５３に挿入し、押さえ部材５２を軸部５４を中心にして回動させることによって突軸部５３との対向位置に位置させる。
【００３５】
また、担持体４０を担持体ホルダー５０に取り付ける他の方法として、図８に示したように、突軸部５３との対向位置に位置に位置している押さえ部材５２を外側に反り変形させながら、担持体４０を押さえ部材５２と突軸部５３との間に矢印のように押し込んで分け入らせるという手順を行って、担持体４０の嵌合孔部４３を突軸部５３に挿入する、という方法を行うことも可能である。この行う場合には、図４、図５、図７及び図８に示したように、突軸部５３の下部に傾斜面５６を形成しておくと、担持体４０を押さえ部材５２と突軸部５３との間に押し込みやすくなる。なお、図８に示した担持体４０の交換方法を行う場合には、ベース体５１の軸部５４と押さえ部材５２の筒部５５とを接着しておいてもよい。
【００３６】
ところで、図４〜図８を参照して説明した他の実施形態においては、担持体４０を、吸液性素材とこの吸液性素材に重なり合ってその裏面全体を覆う被覆シートとによって構成しておくことも可能であり、また、その被覆シートの片面にアルミニウム被膜を形成しておくという構成を採用することも可能である。
【符号の説明】
【００３７】
Ａ  装身具
１０，４０  担持体
１１  吸液性素材
１２  被覆シート
１３、４３  嵌合孔部
２０，５０  担持体ホルダー
２２  凹入部
２３  連結部
２５，５３  突軸部
２６  台座
３０，７０  紐状体
５１  ベース体
５２  押さえ部材
６０  留め具（連結部）
Ｓ  隙間
【図１】
0003218252.tif 000003
【図２】
0003218252.tif 000004
【図３】
0003218252.tif 000005
【図４】
0003218252.tif 000006
【図５】
0003218252.tif 000007
【図６】
0003218252.tif 000008
【図７】
0003218252.tif 000009
【図８】
0003218252.tif 000010
【図９】
0003218252.tif 000011
【手続補正書】
【提出日】平成30年8月2日(2018.8.2)
【手続補正１】
【補正対象書類名】実用新案登録請求の範囲
【補正対象項目名】請求項４
【補正方法】変更
【補正の内容】
【請求項４】
上記突軸部が、当該突軸部の根元部に、上記担持体ホルダーに保持された上記担持体を着座させてその担持体と上記凹入部の底面との間に隙間を形成させる台座を有してなる請求項３に記載した装身具。
【手続補正２】
【補正対象書類名】明細書
【補正対象項目名】００１３
【補正方法】変更
【補正の内容】
【００１３】
本考案では、上記突軸部が、当該突軸部の根元部に、上記担持体ホルダーに保持された上記担持体を着座させてその担持体と上記凹入部の底面との間に隙間を形成させる台座を有してなる、という構成を採用することが望ましい。この構成を採用しておくと、担持体ホルダーの凹入部の底面に担持体が接触しないので、担持体が使い捨てタイプとして提供されている場合に、交換後の担持体が放つ芳香に前回使用された担持体の異種の芳香が混ざり合って使用者が芳香に関して違和感を感じる、という不都合を生じにくくなる。